(57)【要約】【課題】  外部光を用いた不正を防止するために、マイコン等の高価なパーツや複雑なソフトを用いることなく、簡易でしかも信頼性が高くローコストな遊戯機用投入物セレクタを提供する。【解決手段】パルス発振回路３からパルス信号ＣＬを出力して投光部１を駆動し、このパルス信号ＣＬと受光部２の受光出力ＰＯ１を論理積回路６で論理処理し、投光用のパルス信号と前記受光出力のパルス信号が投光及び受光期間で同期しているときに、待機状態を示す信号を出力端子Ｐ１より出力し、投光用のパルス信号が投光期間であるときに受光出力が無しの場合に、メダル検出を示す信号を出力端子Ｐ１より出力する。また、パルス発振回路のパルス信号と受光出力のインバータＵ４による反転信号とをＮＯＲ回路８に入力し、パルス信号の非投光期間に受光出力が有りの場合に出力端子ＰＡより警報信号を出力する。【選択図】      図１
2007282827.tif 000002
【特許請求の範囲】
【請求項１】
投光部と、この投光部よりの光を受光する受光部とからなる光センサを備え、投光部と受光部の間を通過する投入物の有無を検出する遊戯機用投入物セレクタにおいて、
前記投光素子を駆動するためのパルス信号を出力するパルス発振回路と、
このパルス発振回路のパルス信号と前記受光部の受光出力とを入力に受けて論理処理し、前記投光用のパルス信号と前記受光出力のパルス信号が投光及び受光期間で同期しているときに、待機状態を示す信号を出力し、前記投光用のパルス信号が投光期間であるときに前記受光出力が無しの場合に、投入物検出を示す信号を出力する第１の回路と、
前記パルス発振回路のパルス信号と前記受光出力とを入力に受けて前記パルス信号の非投光期間に受光出力有りの場合に警報信号を出力する第２の回路と、
を備えたことを特徴とする遊戯機用投入物セレクタ。
【請求項２】
前記パルス発振回路よりのパルス信号は、Ｈｉｇｈ（Ｈ）とＬｏｗ（Ｌ）のデューティ比が１：１であることを特徴とする請求項１記載の遊戯機用投入物セレクタ。
【請求項３】
前記第１の回路は、論理積回路を含み、この論理積回路で前記投光用のパルス信号と前記受光出力のパルス信号との論理積処理を行い、その出力に論理積出力有りの場合に、待機状態を示す信号として出力することを特徴とする請求項１又は請求項２記載の遊戯機用投入物セレクタ。
【請求項４】
前記パルス発振回路と前記第1の回路、前記第２の回路との間に、パルス信号を遅延させる位相調整回路を設け、前記パルス発振回路からのパルス信号を、位相調整回路を介して、前記第１の回路及び前記第２の回路に入力することを特徴とする請求項１、請求項２、又は請求項３記載の遊戯機用投入物セレクタ。
【請求項５】
前記位相調整回路のパルス信号の遅延は、パルス信号がロー（Ｌ）からハイ（Ｈ）になる時間を遅延させるものであることを特徴とする請求項４記載の遊戯機用投入物セレクタ。
【請求項６】
前記位相調整回路のパルス信号の遅延は、信号がハイ（Ｈ）からロー（Ｌ）になる時間を遅延させるものであることを特徴とする請求項４記載の遊戯機用投入物セレクタ。
【請求項７】
前記位相調整回路のパルス信号の遅延は、信号がロー（Ｌ）からハイ（Ｈ）及びハイ（Ｈ）からロー（Ｌ）になる時間を遅延させたことを特徴とする請求項４記載の遊戯機用投入物セレクタ。
【請求項８】
前記投光部、前記受光部、前記パルス発振回路、前記第１の回路、及び前記第２の回路は、１個のケースに収納されることを特徴とする請求項１、請求項２、請求項３、請求項４、請求項５、請求項６、又は請求項７記載の遊戯機用投入物セレクタ。
【請求項９】
第１の投光部と、この第１の投光部よりの光を受光する第１の受光部とからなる第１の光センサと、第２の投光部と、この第２の投光部よりの光を受光する第２の受光部とからなる第２の光センサとを投入物の通過方向に並設し、第１の投光部と第１の受光部の間を通過し、次に第２の投光部と第２の受光部の間を通過する投入物の有無を、第１及び第２の受光部の出力により検出する遊戯機用投入物セレクタにおいて、
前記第１及び第２の投光部を駆動するためのパルス信号を出力するパルス発振回路と、
このパルス発振回路のパルス信号と前記第１の受光部の受光出力とを入力に受けて論理処理し、前記投光用のパルス信号と前記第１の受光部の受光出力のパルス信号が投光及び受光期間で同期しているときに、待機状態を示す信号を出力し、前記投光用のパルス信号が投光期間であるときに前記第1の受光部の受光出力が無しの場合に、投入物検出を示す信号を出力する第１の回路と、
前記パルス発振回路のパルス信号と前記第２の受光部の受光出力とを入力に受けて論理処理し、前記投光用のパルス信号と前記第２の受光部の受光出力のパルス信号が投光及び受光期間で同期しているときに、待機状態を示す信号を出力し、前記投光用のパルス信号が投光期間であるときに前記第２の受光部の受光出力が無しの場合に、投入物検出を示す信号を出力する第２の回路と、
前記パルス発振回路のパルス信号と前記第１の受光出力および第２の受光出力とを入力に受けて前記パルス信号の非投光期間に前記第１の受光出力及び若しくは前記第２の受光出力が有りの場合に警報信号を出力する第３の回路と、
を備え、前記第１の回路と前記第２の回路の出力に基づいて所定投入物の有無検出を行うことを特徴とする遊戯機用投入物セレクタ。
【請求項１０】
前記パルス発振回路よりの投光パルス信号は、Ｈｉｇｈ（Ｈ）とＬｏｗ（Ｌ）のデューティ比が１：１であることを特徴とする請求項９記載の遊戯機用投入物セレクタ。
【請求項１１】
前記第１及び第２の回路は、それぞれに論理積回路を含み、それぞれの論理積回路で前記投光用のパルス信号と前記受光出力のパルス信号との論理積処理を行い、その出力に論理積出力有りの場合に、それぞれ待機状態を示す信号として出力することを特徴とする請求項９又は請求項１０記載の遊戯機用投入物セレクタ。
【請求項１２】
前記パルス発振回路と前記第1の回路、前記第2の回路および前記第３の回路との間に、パルス信号を遅延させる位相調整回路を設け、前記パルス発振回路からのパルス信号を、位相調整回路を介して、前記第１の回路、前記第２の回路及び第３の回路に入力することを特徴とする請求項９、請求項１０、又は請求項１１記載の遊戯機用投入物セレクタ。
【請求項１３】
前記位相調整回路のパルス信号の遅延は、パルス信号がロー（Ｌ）からハイ（Ｈ）になる時間を遅延させるものであることを特徴とする請求項１２記載の遊戯機用投入物セレクタ。
【請求項１４】
前記位相調整回路のパルス信号の遅延は、信号がハイ（Ｈ）からロー（Ｌ）になる時間を遅延させるものであることを特徴とする請求項１２記載の遊戯機用投入物セレクタ。
【請求項１５】
前記位相調整回路のパルス信号の遅延は、信号がロー（Ｌ）からハイ（Ｈ）及びハイ（Ｈ）からロー（Ｌ）になる時間を遅延させたことを特徴とする請求項１２記載の遊戯機用投入物セレクタ。
【請求項１６】
前記第１の投光部、前記第１の受光部、前記第２の投光部、前記第2の受光部、前記パルス発振回路、前記第１の回路、前記第２の回路及び前記第３の回路は、１個のケースに収納されてなることを特徴とする請求項９、請求項１０、請求項１１、請求項１２、請求項１３、請求項１４、又は請求項１５記載の遊戯機用投入物セレクタ。
【発明の詳細な説明】
【技術分野】
【０００１】
本発明は、ゲーム機のコインやスロットマシンのメダル等の投入物をカウントする場合等に使用する遊戯機用投入物セレクタに関する。
【背景技術】
【０００２】
スロットマシン等のゲーム機においてはゲームプレイに先立ってメダルやコインを投入してゲームを行うことが出来る。この投入されたメダルやコインの確認と枚数のカウントには光センサが用いられている。
【０００３】
このような光センサは、投光素子に直流電流を流し、投光素子からフラットな光を出し、その光を受光素子で受光し、投入物（メダルやコイン等）での遮光による光量の変化を検出するものであり、１対の投光素子及び受光素子を用いたものや、或いは同様の投光素子及び受光素子を２対用い、この２対の投光素子及び受光素子を検出物の通過方向に並べたものがあり、後者の光センサでは２対の投光素子及び受光素子の出力信号の位相差を検出して、投入物（検出物）の通過方向と数を検出している。
【０００４】
上記光センサの働きを不正操作も含めて説明する。但し、受光素子（例えばフォトＩＣ）においては投光素子（例えば発光ダイオード）の光を受けた場合、出力部がハイ（Ｈｉｇｈ）になるものとロー（Ｌｏｗ）になるものとがあるが、以下ではハイ（Ｈ）になるもので説明する。
【０００５】
図１８は一般的な光センサの外観斜視図、図１９は同光センサの一般的な回路図、図２０は同光センサの投光信号と受光信号の出力の一例を示す。
【０００６】
この光センサ１００は、投光素子ＬＥＤを有する投光部１０１と、受光素子ＰＤを有する受光部１０２と、投光部１０１と受光部１０２との間に設けられた投入物（メダルやコイン等）の通過溝１０３とを備える。このような光センサ１００では、投光素子ＬＥＤに電流を流して投光部１０１を発光させ、この光を受光部１０２の受光素子ＰＤで受け、受光素子ＰＤの出力電流をアンプ１０４で増幅し、シュミット回路１０５で波形整形した後、出力トランジスタＱを介して信号を出力している。この場合、通過溝１０３を通過する投入物が遮光することにより出力された信号で投入物の数をカウントしている。
【０００７】
また、この種の光センサ１００に対して、現在一般に行われている不正について述べる。この場合、図２１に示すように透光フィルム１２１に不透光マジック等で線１２２を入れたり、或いは光不透過テープ（図示せず）を貼り付けたりした不正具１２０が用いられる。この不正具１２０を光センサ１００の通過溝１０３に挿入・引き出しすることにより、図２２に示すように、不正具１２０の３本の線１２２に対応して、挿入時に３個（Ａ点、Ｂ点、Ｃ点の出力Ｌ）、引き出し時に３個（Ｃ点、Ｂ点、Ａ点の出力Ｌ）、合計６個の投入物が通過したような出力信号を発生させ、恰もコイン、メダル等の投入物が投入されたと同様の不正ゲームが行われている。
【０００８】
そのような不正操作を防止するため、図２３のような２対の投光部１１１ａ，１１１ｂ及び受光部１１２ａ，１１２ｂを有する光センサ１１０を用いて、投入物の通過方向と枚数を検出する対策もある。この場合は、不正具（透光フィルム１３１に不透光線１３２を入れたもの）１３０による不正操作に対しては、図２４に示すように、通過溝１１３への不正具１３０の挿入時の出力信号の位相（Ｘ点）と、不正具１３０の引き出し時の出力信号の位相（Ｙ点）とでは、位相が逆転するため、例えば挿入時を加算数とし、引き出し時を減算数とすれば、投入数は相殺されてしまう。これを利用して不正行為によるゲームを出来なくしたり、或いはＹ点以後は信号として収納側から投入側に投入物が引き出された状態が示されているため、不正操作の検出に利用したりしている。
【０００９】
また、この種の不正操作に対するメダルセレクタとして、第１メダル通過センサの下方に第２メダル通過センサを追加し、第１及び第２メダル通過センサが検出動作した時だけ、適正なメダル投入であるとしたものが提案されている（例えば特許文献１参照）。  
【００１０】
しかしながら、最近では図２５に示すような不正具１４０を用いた不正操作が非常に多くなり、被害も甚大となっている。この不正具１４０は、投光素子である小さな２個のチップＬＥＤ１４１，１４２を、光センサ１１０の１対の投光部１１１ａ及び受光部１１２ａと１対の投光部１１１ｂ及び受光部１１２ｂとの間隔に合わせて不透光フィルム１４５に取り付け、各チップＬＥＤ１４１，１４２にそれぞれ接続したリード線１４３，１４４を不透光フィルム１４５の外部に導出したものである。
【００１１】
この不正具１４０を光センサ１１０の通過溝１１３に挿入し、リード線１４３，１４４に図２６に示すようなパルス電流を流し、チップＬＥＤ１４１，１４２を位相差を持って発光させ、あたかも投入物を投入したかのような信号を発生させる不正が行われている。
【００１２】
このような発光素子を搭載した不正具を用いた操作による不正を防止するために、不正具をメダル投入口から挿入する際に、投入センサにより不正具の挿入が検出されないように、不正具の発光素子を発光させた状態で挿入する必要があるので、投入センサの配置位置よりも上流側で、かつ投入センサの受光部と同じ側に配置した発光検出センサの受光部により、不正具の発光素子の発光を受光した場合に、異常と判定するスロットマシンが開示されている（例えば特許文献２参照）。
【００１３】
また、メダルの取込側経路に配置された投光部と、投光部に対向して配置される第１受光部と、投光部から第１受光部への光が流下するメダルにより反射した反射光を受光可能な位置に配置される第２受光部とからなる入力メダルセンサの受光状態の遷移によりメダル投入を判定するとともに、この投入メダルセンサよりも上流側に流下するメダルにより取込側通路外に退避するよう設けた当接片の退避状態を検出する通過センサによる検出時間が所定時間経過したことにより異常を判断するスロットマシンが開示されている（例えば特許文献３参照）。
【特許文献１】特開２００１-１７６１１号公報
【特許文献２】特開２００５-３４２３９７号公報
【特許文献３】特開２００５-３４９０４４号公報
【発明の開示】
【発明が解決しようとする課題】
【００１４】
上記したように、発光素子を搭載した不正具を用いた、不正が大変多く行われているため、ゲームセンターやパチンコ店は膨大な損害が発生し、営業に多大な影響が及んでいる。発光素子を搭載した不正具を用いた不正がなされても、上記特許文献２、特許文献３に記載のスロットマシンでは、不正使用となるのを防止できる。しかしながら上記特許文献２のものでは、不正投入検出用の受光素子を設けねばならないし、引用文献３に記載のものでは、当接片を用いた通過センサを設けねばならず、センサ部分が大型化し、コスト高になるという問題が残されている。
【００１５】
この発明は、上記問題点に着目してなされたものであって、外部光を用いた不正操作を防止するために、マイコン等の高価なパーツや複雑なソフト、その他の部品を用いることなく、簡易でしかも信頼性が高くローコストな遊戯機用投入物セレクタを提供することを目的としている。
【課題を解決するための手段】
【００１６】
前記目的を達成するために、この発明の請求項１に係る遊戯機用投入物セレクタは、投光部と、この投光部よりの光を受光する受光部とからなる光センサを備え、投光部と受光部の間を通過する投入物の有無を検出するものにおいて、前記投光素子を駆動するためのパルス信号を出力するパルス発振回路と、このパルス発振回路のパルス信号と前記受光部の受光出力とを入力に受けて論理処理し、前記投光用のパルス信号と前記受光出力のパルス信号が投光及び受光期間で同期しているときに、待機状態を示す信号を出力し、前記投光用のパルス信号が投光期間であるときに前記受光出力が無しの場合に、投入物検出を示す信号を出力する第１の回路と、前記パルス発振回路のパルス信号と前記受光出力とを入力に受けて前記パルス信号の非投光期間に受光出力有りの場合に警報信号を出力する第２の回路と、を備えたことを特徴とする。
【００１７】
この発明の遊戯機用投入物セレクタにおいて、前記パルス発振回路より出力される投光パルス信号は、Ｈｉｇｈ（Ｈ）とＬｏｗ（Ｌ）のデューティ比が１：１であることが好ましい。
【００１８】
また、この発明の遊戯機用投入物セレクタにおいて、前記第１の回路は、論理積回路を含み、この論理積回路で前記投光用のパルス信号と前記受光出力のパルス信号との論理積処理を行い、その出力に論理積出力有りの場合に、待機状態を示す信号として出力するのが好ましい。
【００１９】
また、この発明の遊戯機用投入物セレクタにおいて、前記パルス発振回路と前記第1の回路、前記第2の回路との間に、パルス信号を遅延させる位相調整回路を設け、前記パルス発振回路からのパルス信号を、位相調整回路を介して、前記第１の回路及び前記第２の回路に入力するのが好ましい。
【００２０】
また、この発明の遊戯機用投入物セレクタにおいて、前記位相調整回路のパルス信号の遅延は、パルス信号がロー（Ｌ）からハイ（Ｈ）になる時間に遅延させるものとできる。
【００２１】
また、この発明の遊戯機用投入物セレクタにおいて、前記位相調整回路のパルス信号の遅延は、信号がハイ（Ｈ）からロー（Ｌ）になる時間に遅延させるものとできる。
【００２２】
また、この発明の遊戯機用投入物セレクタにおいて、前記位相調整回路のパルス信号の遅延は、信号がロー（Ｌ）からハイ（Ｈ）及びハイ（Ｈ）からロー（Ｌ）になる時間に遅延させるものとできる。
【００２３】
また、この発明の遊戯機用投入物セレクタにおいて、前記投光部、前記受光部、前記パルス発振回路、前記第１の回路、及び前記第２の回路は、１個のケースに収納することが好ましい。
【００２４】
また、この発明の請求項９に係る遊戯機用投入物セレクタは、第１の投光部と、この第１の投光部よりの光を受光する第１の受光部とからなる第１の光センサと、第２の投光部と、この第２の投光部よりの光を受光する第２の受光部とからなる第２の光センサとを投入物の通過方向に並設し、第１の投光部と第１の受光部の間を通過し、次に第２の投光部と第２の受光部の間を通過する投入物の有無を、第１及び第２の受光部の出力により検出するものにおいて、前記第１及び第２の投光部を駆動するためのパルス信号を出力するパルス発振回路と、このパルス発振回路のパルス信号と前記第１の受光部の受光出力とを入力に受けて論理処理し、前記投光用のパルス信号と前記第１の受光部の受光出力のパルス信号が投光及び受光期間で同期しているときに、待機状態を示す信号を出力し、前記投光用のパルス信号が投光期間であるときに前記第1の受光部の受光出力が無しの場合に、投入物検出を示す信号を出力する第１の回路と、前記パルス発振回路のパルス信号と前記第２の受光部の受光出力とを入力に受けて論理処理し、前記投光用のパルス信号と前記第２の受光部の受光出力のパルス信号が投光及び受光期間で同期しているときに、待機状態を示す信号を出力し、前記投光用のパルス信号が投光期間であるときに前記第２の受光部の受光出力が無しの場合に、投入物検出を示す信号を出力する第２の回路と、前記パルス発振回路のパルス信号と前記第１の受光出力および第２の受光出力とを入力に受けて前記パルス信号の非投光期間に前記第１の受光出力及び若しくは前記第２の受光出力が有りの場合に警報信号を出力する第３の回路と、を備え、前記第１の回路と前記第２の回路の出力に基づいて所定投入物の有無検出を行うことを特徴とする。
【００２５】
この発明の遊戯機用投入物セレクタにおいても、前記パルス発振回路より出力される投光パルス信号は、Ｈｉｇｈ（Ｈ）とＬｏｗ（Ｌ）のデューティ比が１：１であることが好ましい。
【００２６】
また、この発明の遊戯機用投入物セレクタにおいて、前記第１の回路及び前記第2の回路は、それぞれ論理積回路を含み、それぞれの論理積回路で前記投光用のパルス信号と前記受光出力のパルス信号との論理積処理を行い、その出力に論理積出力有りの場合に、待機状態を示す信号として出力するのが好ましい。
【００２７】
また、この発明の遊戯機用投入物セレクタにおいて、前記パルス発振回路と前記第1の回路、前記第2の回路及び前記第３の回路との間に、パルス信号を遅延させる位相調整回路を設け、前記パルス発振回路からのパルス信号を、位相調整回路を介して、前記第１の回路、前記第2の回路及び前記第３の回路に入力するのが好ましい。
【００２８】
また、この発明の遊戯機用投入物セレクタにおいて、前記位相調整回路のパルス信号の遅延は、パルス信号がロー（Ｌ）からハイ（Ｈ）になる時間に遅延させるものとできる。
【００２９】
また、この発明の遊戯機用投入物セレクタにおいて、前記位相調整回路のパルス信号の遅延は、信号がハイ（Ｈ）からロー（Ｌ）になる時間に遅延させるものとできる。
【００３０】
また、この発明の遊戯機用投入物セレクタにおいて、前記位相調整回路のパルス信号の遅延は、信号がロー（Ｌ）からハイ（Ｈ）及びハイ（Ｈ）からロー（Ｌ）になる時間に遅延させるものとできる。
【００３１】
また、この発明の遊戯機用投入物セレクタにおいて、前記投光部、前記受光部、前記パルス発振回路、前記第１の回路、前記第２の回路及び前記第３の回路は、１個のケースに収納することが好ましい。
【発明の効果】
【００３２】
この発明によれば、投光素子を駆動するためのパルス信号を出力するパルス発振回路と、このパルス発振回路のパルス信号と受光部の受光出力とを入力に受けて論理処理し、前記投光用のパルス信号と前記受光出力のパルス信号が投光及び受光期間で同期しているときに、待機状態を示す信号を出力し、前記投光用のパルス信号が投光期間であるときに前記受光出力が無しの場合に、投入物検出を示す信号を出力する第１の回路と、前記パルス発振回路のパルス信号と前記受光出力とを入力に受けて前記パルス信号の非投光期間に受光出力有りの場合に警報信号を出力する第２の回路と、で構成されるものであり、高価なマイコン等を使わないので、安価で小型な投入物セレクタを提供することができる。
【００３３】
また、パルス信号で投光部を駆動し、このパルス信号と受光出力のパルス信号との論理積処理により、待機状態の確認、及び投入物の検出を行うとともにＬＥＤを搭載した不正具による外部光が入力された場合は、パルス信号の非投光期間に受光出力有りで、これを検出し、警報信号を出力するので、不正遊戯を完全に防止できる。その上、簡易な回路のため動作に高い信頼性を得ることができる。
【発明を実施するための最良の形態】
【００３４】
以下、実施の形態により、この発明を、さらに詳細に説明する。図１は、この発明の一実施形態である、遊戯機用投入物セレクタの回路構成を示す回路図である。
この、実施形態遊戯機用投入物セレクタは、一対の投光部１及び受光部２と、パルス発振回路３と、このパルス発振回路３よりのパルス信号に応じて投光部１のＬＥＤ１１を駆動する投光駆動回路４と、パルス発振回路３よりのパルス信号の位相を調整する位相調整回路５と、受光部２の出力信号ＰＯ１とパルス発振回路３から位相調整回路５を経て入力されるクロックパルス信号ＣＬとを両入力信号として受ける論理積回路（素子Ｕ５）６と、この論理積回路６の出力に応じてメダル検出信号を出力するメダル検出出力回路７と、パルス発振回路３よりのパルス信号が位相調整回路５を経て入力される信号と受光部２の出力信号ＰＯ１がインバータＵ４で反転されて入力される信号とを両入力信号として受けるＮＯＲ回路（素子Ｕ６）８と、ＮＯＲ回路８の出力に応じて外部光入力のＡＬＡＲＭ信号を出力するアラーム信号出力回路９とを備えている。この図１に示す各回路部は、例えば図１８に示す光センサのような、１個のケース内に収納されている。  
【００３５】
パルス発振回路３は、インバータＵ１，Ｕ２，Ｕ３と抵抗Ｒ１，Ｒ２及びコンデンサＣ１とにより一般に良く知られたインバータ発振回路が構成されている。その発振周波数はコンデンサＣ１及び抵抗Ｒ２の充放電の時定数で規制されている。この発振回路の発振周波数は、商用周波数より高く選ばれ、具体的には数百ＨＺ〜数十ＫＨＺに設定する。因みに、抵抗Ｒ１はコンデンサＣ１によるインバータＵ１の入力部の逆電圧保護用抵抗である。  なお、パルス発振回路３は、論理処理において、ハイ（Ｈ）とロー（Ｌ）の信号を使用する関係上、Ｓ／Ｎ比と信頼性を高めるために、ハイ（Ｈ）とロー（Ｌ）のデューティ比が１：１であることが好ましい。そのため、ここでは、簡易で安価に構成したパルス発振回路３を使用し、ハイ（Ｈ）とロー（Ｌ）のデューティ比を１：１としている。
【００３６】
パルス発振回路３のクロックパルス信号ＣＬがハイ（Ｈ）の時、投光駆動回路４のデジタルトランジスタ（入力抵抗付きトランジスタ）Ｑ１で反転され、ロー（Ｌ）となるので、電源ＶＣＣ，ＬＥＤ１１、抵抗Ｒ３を介して投光用パルス電流が流れ、ＬＥＤ１１は発光する。
【００３７】
受光部２を構成するフォトＩＣは、フォトダイオード２１と、アンプ２２と、波形整形用のシュミット回路２３と、抵抗Ｒ２４、Ｒ２５，Ｒ２６及びトランジスタＱ２からなる信号出力回路２４と、から構成されている。この受光部２は、投光部１より受光すると、ハイ（Ｈ）の信号を出力する。位相調整回路５は、ダイオードＤ３と抵抗Ｒ１２の直列回路に抵抗Ｒ１１が並列接続され、さらにこの並列回路とアース間にコンデンサＣ３を接続して構成され、並列回路の一端（ダイオードＤ３のアノード側）がパルス発振回路３の出力端（インバータＵ３の出力端）に接続され、並列回路の他端が論理積回路６の一方の入力端（Ａ点）と、ＮＯＲ回路８の一方の入力端（Ａ点）に接続されている。この位相調整回路５は、後述するように、受光部２で受光パルスが投光に対して遅延することが有る場合を考慮して設けたものであり、受光部２の出力の遅延が投光に対して小さい場合は省いてもよい。論理積回路６の他方の入力端には、受光部２の出力信号ＰＯ１が入力されるように接続されている。
【００３８】
メダル検出信号出力回路７は、アノード側が論理積回路６の出力端に接続されるダイオードＤ１と、このダイオードＤ１のカソードに一端が接続される抵抗Ｒ５と、この抵抗Ｒ５の他端とアース間にされ、コンデンサＣ４と抵抗Ｒ４の並列回路からなる積分回路１０Ａと、この積分回路１０Ａとの出力を波形整形するシュミット回路Ｕ７と、このシュミット回路Ｕ７の出力を受けて反転出力するデジタルトランジスタＱ３と、出力端子Ｐ１とから構成されている。
【００３９】
また、アラーム信号出力回路９は、アノード側がＮＯＲ回路８の出力端に接続される検波用のダイオードＤ２と、このダイオードＤ２のカソード側に一端が接続される抵抗Ｒ７と、この抵抗Ｒ７の他端とアース間に接続され、コンデンサＣ４と抵抗Ｒ８の並列回路からなる積分回路１０Ｃと、この積分回路１０Ｃの出力を波形整形するシュミット回路Ｕ８と、このシュミット回路Ｕ８の出力を受けて信号変換するデジタルトランジスタＱ４，Ｑ５と,出力端子ＰＡとを備えている。
【００４０】
次にこの実施形態回路おける動作を説明する。受光部２が投光に対して遅延無く出力する場合、先ず、位相調整回路５を接続せず（採用せず）、パルス発振回路３のクロックパルスＣＬを直接論理積回路６及びＮＯＲ回路８に入力した場合について説明する。
【００４１】
投光部１と受光部２との間の通過溝にメダルが無い場合、投光部１のＬＥＤ１１からの光を受光部２のフォトダイオード２１が受光する。受光部２の出力ＰＯ１は、図２に示すように投光パルスＣＬがハイ（Ｈ）である期間に同期してハイ（Ｈ）となる。
【００４２】
ここでは、位相調整回路５を省いており、インバータＵ３の出力のクロックパルス信号ＣＬを論理積回路６のＡ点に直接接続しているので、投光用のクロックパルス信号ＣＬに同期して受光部（フォトＩＣ）２の出力ＰＯ１（受光信号）が発生する待機状態では、クロックパルス信号ＣＬと受光部２の出力ＰＯ１とが同期している。そのため、論理積回路６の出力（Ｂ点）は、図２の信号波形図や図３に示す論理積回路（素子Ｕ５）６の真理値表からも明らかなようにＡ点及び受光出力ＰＯ１がハイ（Ｈ）の場合にハイ（Ｈ）を出力する。
【００４３】
この論理積回路６のハイ（Ｈ）出力は、ダイオードＤ１で検波され、抵抗Ｒ５を介してコンデンサＣ２に充電され、直流電圧となる。この直流電圧，つまりＣ点のハイ（Ｈ）信号は、シュミット回路Ｕ７で反転してロー（Ｌ）となる。このロー（Ｌ）信号によりデジタルトランジスタＱ３のベースには電流が流れず、出力端子Ｐ１の信号ＯＵＴ１は、待機信号であるハイ（Ｈ）のままであり、メダルカウント信号を出力しない。
【００４４】
一方，ＮＯＲ回路８の出力、すなわちＥ点は、図４の信号図や、図５のＮＯＲ回路（素子Ｕ６）８の真理値表から明らかなように、待機状態では、クロックパルス信号がハイ（Ｈ）、Ｊ点がロー（Ｌ）で、また、クロックパルス信号がロー（Ｌ）、Ｊ点がハイ（Ｈ）で、常にロー（Ｌ）を維持する。
【００４５】
ＮＯＲ回路８の出力Ｅ点が、ロー（Ｌ）の時は、シュミット回路Ｕ８の入力Ｆ点もロー（Ｌ）であり、シュミット回路Ｕ８の出力は反転して，Ｇ点がハイ（Ｈ）となる。そのため、この場合、デジタルトランジスタＱ４には、ベース電流が流れ、ＯＮし、デジタルトランジスタＱ４の出力（Ｋ点）は、ロー（Ｌ）となる。このロー（Ｌ）でデジタルトランジスタＱ５のベースに電流が流れず０ＦＦであるから、出力端子ＰＡの出力ＡＬＡＲＭはハイ（Ｈ）を保ち、アラーム信号を発生しない。
【００４６】
次に、メダルが投入され、投光部１と受光部２の間を通過すると、投光部１のＬＥＤ１１からの光が遮られ、受光部２のフォトダイオード２１は受光することができず、クロックパルス信号ＣＬが、ハイ（Ｈ），ロー（Ｌ）の如何に関わらず受光部２の出力ＰＯ１は、ロー（Ｌ）を保つ。受光出力ＰＯ１がロー（Ｌ）を保つと、図３の真理値表からも明らかなように、論理積回路６の出力（Ｂ点）は、ロー（Ｌ）を保つ。
【００４７】
この遮光時の論理積回路６の入出力信号を図６に示す。この図より明らかなように、論理積回路６の出力（Ｂ点）はロー（Ｌ）であり、したがって、シュミット回路Ｕ７の入力（Ｃ点）もロー（Ｌ）であり、その出力Ｄ点がハイ（Ｈ）となる。これにより、デジタルトランジスタＱ３のベースに電流が流れ、デジタルトランジスタＱ３がＯＮし、出力端子Ｐ１の信号ＯＵＴ１は、ロー（Ｌ）となる。このロー（Ｌ）は、メダル検出信号である。つまり、メダルが投入され遮光される毎に、このロー（Ｌ）信号が出力される。そのため遊戯機の制御部（図示せず）では、この信号をカウントすることにより、投入メダル数をカウントすることができる。
【００４８】
また、メダル通過時において、受光出力ＰＯ１がロー（Ｌ）となるので、インバータＵ４により、受光出力ＰＯ１が反転されＪ点は、ハイ（Ｈ）となり、ＮＯＲ回路８のＪ点側入力がハイ（Ｈ）となる。そうすると、図５の真理値表でも明らかなように、クロックパルス信号ＣＬがハイ（Ｈ）、ロー（Ｌ）の如何に関わらずＮＯＲ回路８の出力（Ｅ点）は、ロー（Ｌ）を保持する。Ｅ点がロー（Ｌ）であれば、Ｆ点もロー（Ｌ）であり、シュミット回路Ｕ８の出力は、反転してハイ（Ｈ）、さらにデジタルトランジスタＱ４で反転してロー（Ｌ）となる。そのためデジタルトランジスタＱ５はＯＦＦしたままハイ（Ｈ）であり、何ら待機状態と変らずＡＬＡＲＭ出力は発生しない。このメダル投入による遮光時のＮＯＲ回路８の信号図を図７に示す。
【００４９】
次に、外部光を発する不正具を受光部２に挿入し、図２５のような不正操作が行われた場合の、受光面、すなわちフォトダイオード２１に外部光を照射すると受光部２の受光出力ＰＯ１は、照射している間ハイ（Ｈ）となるため、クロックパルス信号ＣＬの如何に関わらず、図３の真理値表より明らかなように、論理積回路６の出力は、クロックパルス信号ＣＬがハイ（Ｈ）の時、これに同期してハイ（Ｈ）のパルス信号を出力する。この場合の論理積回路６の入出力の信号図を図８に示す。この論理積回路６の出力Ｂ点の信号は、先述した図２に示した待機状態と全く同様であり、外部光の有無に関わらずカウント出力を発生しない。
【００５０】
一方、外部光を入光した場合のＮＯＲ回路８、及びアラーム出力回路９の動作を説明する。上述したように受光部２の受光出力ＰＯ１は、外部光を受光している間ハイ（Ｈ）を保持する。このハイ（Ｈ）は、インバータＵ４により、反転され、Ｊ点はロー（Ｌ）を保持する。したがってＮＯＲ回路８の出力（Ｅ点）は、図５の真理値表から明らかな通り、クロックパルス信号ＣＬのロー（Ｌ）に同期して、ハイ（Ｈ）のパルス信号、つまりクロックパルス信号ＣＬの反転したパルス信号を発生する。
【００５１】
このパルス信号は、ダイオードＤ２で検波され、抵抗Ｒ７を介してコンデンサＣ４に充電されるのでＦ点すなわち  シュミット回路Ｕ８の入力には直流電圧〔ハイ（Ｈ）〕が印加される。この直流電圧を受けてシュミット回路Ｕ８は反転出力し、その出力（Ｇ点）はロー（Ｌ）となる。そのとき、デジタルトランジスタＱ４のベース電流は流れなくなり、その出力側（Ｋ点）がハイ（Ｈ）となる。そのため、デジタルトランジスタＱ５のベースには抵抗Ｒ９を介して電流が流れＯＮする。そして、出力端子Ｐ２は、外部光がある間、ロー（Ｌ）信号を出力する。つまり警報信号を出力する。
【００５２】
以上のように、この実施形態投入物セレクタでは、投入メダルの検出は従来通り、その通過枚数に応じてカウント出力を出し、他方、外部光を用いた不正操作のみそれを検出して、警報信号を出力することができる。
【００５３】
ところで、上に実施形態の説明、特に機能説明において、受光部２を構成するフォトＩＣが応答遅延時間の無い理想的なものであるとして位相調整回路５を除いたものを説明した。しかし、実際の受光用のフォトＩＣは、光を受けて、受光出力信号を出すまでと、光が無くなり受光信号が無くなるまでの時点で大きな応答遅延時間を持っている。
【００５４】
したがって、真理値表からも明らかなように、この高周波クロックパルス信号を用いて不正操作の監視を行う投入物セレクタにおいては、応答遅延は信頼性上、無視することはできない。なぜなら応答遅延は、大きなハザードとなって論理処理部で信号を発生するためＳ／Ｎ比が小さくなり信頼性を低下させるおそれがあるためである。上記図１に示す実施形態投入物セレクタにおいては、フォトＩＣの応答遅延による不具合に対応するために位相調整回路５を設けている。
【００５５】
ここで、この応答遅延対策にについて説明する。
【００５６】
実際には受光部２のフォトＩＣは応答性を持っているため、フォトＩＣは、光を受光して出力がハイ（Ｈ）になるまでＴＤＨの遅れ時間を持つもの、受光後にトランジスタＱ１がＯＦＦし、光が無くなってフォトＩＣの出力がロー（Ｌ）になるまでＴＤＬの時間を持つもの、或いは両方（ＴＤＨ、ＴＤＬ）の遅延時間を持つもの等様々のものがある。
【００５７】
図１の実施形態投入物セレクタにおいて、位相調整回路５を設けない場合（クロックパルス信号ＣＬを直接、論理積回路６、ＮＯＲ回路８に入力する）で、上記各遅延が生じる場合のそれらの関連波形を図１２、図１３、図１４に示す。図１２はフォトＩＣ出力ＰＯ１がロー（Ｌ）からハイ（Ｈ）になる時及びハイ（Ｈ）からロー（Ｌ）になる時に遅延する場合を示す。図１３は受光部２の出力ＰＯ１がロー（Ｌ）からハイ（Ｈ）になる時に遅延する場合を示す。一般に市販のフォトＩＣでは、図１４は受光部２の出力ＰＯ１がハイ（Ｈ）からロー（Ｌ）になる時に遅延する場合を示す。
【００５８】
図１２〜図１４からも分かるように、受光部２のフォトＩＣの出力ＰＯ１（受光信号）に対する遅延処理を行わないと、一般に市販のフォトＩＣでは出力ＰＯ１の遅延によるＮＯＲ回路８の出力Ｅ点に、待機状態において遅延による不要なハザード（パルス幅の小さなパルス）が出力し外部光の無い待機状態において本来ＯＶであるべきＦ点に大きな残電圧が印加され、僅かなノイズで誤動作したり、本来デユーテイ比１のクロックパルス信号ＣＬが印加されるべきＢ点に幅の短いパルスしか発生せず，Ｃ点の脈流を抑えるため大きな容量のコンデンサＣ２を用いる必要性が出て投入物セレクタの応答スピードを遅くするなどの弊害がある。
【００５９】
以下、受光部２のフォトＩＣで図１２のようにパルスの立ち上がりと,立ち下がりの両方（ＴＤＨ，ＴＤＬ）で遅延する場合について、説明する。電気的に遅れた信号を早くすることは困難である。したがって、同期相手であるクロックパルス信号ＣＬを遅延させることで、この問題を解決できる。
【００６０】
図１の実施形態投入物セレクタにおいて、パルス発振回路３の出力クロックパルス信号ＣＬがハイ（Ｈ）になるとき、位相調整回路５の抵抗Ｒ１１，Ｒ１２の並列合成抵抗を介してコンデンサＣ３を充電するため、位相調整回路５より論理積回路６のＡ点に加えられる電圧が一定の遅延時間を持って上昇する電圧となる（図１５のＡ点の波形参照）。また、クロックパルス信号ＣＬがロー（Ｌ）となると、コンデンサＣ３に充電された電圧は、ダイオードＤ３により抵抗Ｒ１１のみを介してパルス発振回路３のインバータＵ３の出力部で放電するため、一定の遅延時間を持った電圧となる（図１５のＡ点の波形参照）。
【００６１】
この遅延した波形は、電源電圧ＶＣＣのおよそ１／２の値である論理積回路６のスレッシュホールド電圧ＶＴＨで論理処理が機能する。この各々の遅延した電圧波形の時間は抵抗Ｒ１１，Ｒ１２、コンデンサＣ３、ダイオードＤ３でそれぞれＴＤＨ，ＴＤＬに設定されている。
【００６２】
従って、論理積回路６，ＮＯＲ回路８に入力されるＡ点における電圧と受光部２の出力ＰＯ１は、全く同期した信号となり、ＮＯＲ回路８の出力Ｅ点は完全なロー（Ｌ）を保持し、Ｂ点も１：１の受光出力ＰＯ１に同期したパルスとなり、Ｓ／Ｎ比の高い信頼性の高いものにすることが出来る。これらの波形を図１５に示す。
【００６３】
次に、受光部２の受光出力ＰＯ１が波形の立ち上がりのとき、つまりハイ（Ｈ）になる時にのみ遅延する場合は、クロックパルス信号ＣＬも同様に立ち上がり部分のみ遅延させればよい。図１３に、この場合の待機状態における各部の信号を示している。図１３からも明らかなように，Ｅ点，Ｆ点においては問題はない。しかし、論理積回路６の出力Ｂ点のハイ（Ｈ）のパルス幅が大変短くなり、それに伴い、ロー（Ｌ）のパルス幅が長くなる。そのため、コンデンサＣ２の充電期間が短く放電時間が長くなり、Ｃ点の電圧は、脈流が大きくなり、誤動作信号を出力する。これを避けるためにコンデンサＣ２の容量を大きくして放電時間を保つ必要が発生する。このコンデンサＣ２の容量を大きくすると信号がなくなったとき、抵抗Ｒ４を介して放電する時間が長くなるため投入物セレクタの応答スピードが落ちる弊害がある。
【００６４】
この弊害を除去するために、ここでは、図１６に示す位相調整回路５を使用する。この場合は、受光出力ＰＯ１のロー（Ｌ）からハイ（Ｈ）になるときにのみクロックパルス信号ＣＬを遅延させればよいので、コンデンサＣ３の充電は、抵抗Ｒ１１を介して行い，ＴＤＨを確保する。しかしハイ（Ｈ）からロー（Ｌ）は遅延の必要がないため、コンデンサＣ３の充電は抵抗Ｒ１２を短絡して除き、かつダイオードＤ３を図１の場合と逆極性に接続し、インバータＵ３を介して,瞬時に放電させることにより、クロックパルス信号ＣＬと受光出力ＰＯ１を全く同期させ、信頼性を高きものとすることができる。
【００６５】
次に受光出力ＰＯ１が,波形の立ち下がりのとき、つまりハイ（Ｈ）からロー（Ｌ）になるときにのみ、遅延する場合は、クロックパルス信号ＣＬも同様に立ち下がり部分のみ、遅延させればよい。
【００６６】
図１４に、この場合の待機状態における各部の信号波形を示している。この図から明らかなようにＢ点，Ｃ点は問題ないが、ＮＯＲ回路８の出力Ｅ点は、遅延時間ＴＤＬ分のみハザードパルスが発生する。
【００６７】
このパルスは、抵抗Ｒ７を介してコンデンサＣ４に充電され、Ｆ点には、残電圧が印加される。この残電圧があると僅かなノイズでシュミット回路Ｕ８の出力を反転させ、誤ったＡＬＡＲＭ信号を出力させることになり、信頼性の低下をもたらすことになる。
【００６８】
この不具合を除去するために、図１７に示す位相調整回路５を使用する。図１７の回路では、クロックパルス信号ＣＬがハイ（Ｈ）になると、ダイオードＤ３を介してコンデンサＣ３には瞬時に充電され，Ａ点の立ち上がりは、クロックパルス信号ＣＬは遅延なく同期する。一方、クロックパルス信号ＣＬがハイ（Ｈ）からロー（Ｌ）になると、コンデンサＣ３に充電された電圧は、抵抗Ｒ１１を介して徐徐に放電するためＴＤＬだけ遅延してロー（Ｌ）になる。したがって、受光出力ＰＯ１がロー（Ｌ）からハイ（Ｈ）、ハイ（Ｈ）からロー（Ｌ）とも，Ａ点は完全にクロクパルス信号ＣＬに同期するため、Ｅ点はハザードも無く，Ｆ点は残電圧の無い０Ｖを維持し、信頼性の高いものにすることができる。
【００６９】
次に、別実施形態に係る投入物セレクタの回路構成を図１０に示す。ここに示す実施形態投入物セレクタは、図２３、図２４で説明したフイルムを用いた遮光による不正操作と、図２５、図２６で説明した発光素子を用いた外部光による不正操作を防止することができる。発光素子２個と受光素子２個を、投、受光を図２３のように対向させて、メダルの通過方向に並べ、前者（図２３のフイルム）の遮光による不正操作の監視は、図２４に示した出力信号の位相差を監視することで防止できる。また、外部光による不正操作の監視は図１に示す実施形態で先に説明した論理によって監視することで防止できる。
【００７０】
この図１０の実施形態投入物セレクタは、１対の投光部１ａ、受光部２ａと、パルス発振回路３と、投光駆動回路４と、位相調整回路５と、論理積回路６と、メダル検出信号出力回路７ａと、ＮＯＲ回路８ａと、アラーム信号出力回路９とを、備える点で図１に示す回路と同様である。
【００７１】
この実施形態投入物セレクタは、さらに加えて１対の投光部１ｂ、受光部２ｂと、論理積回路６ｂと、メダル検出信号出力回路７ｂと、ＮＯＲ回路Ｕ１１とを備え、論理積回路６ｂには、受光部２ｂの出力ＰＯ２が入力されるとともに、パルス発振回路３のクロックパルス信号ＣＬが、位相調整回路５を介して、論理積回路６ｂに入力されている。この図１０に示す実施形態の各回路部も、例えば図２３に示す光センサのように、一個のケース内に収納されている。
【００７２】
この実施形態投入物セレクタにおいて、パルス発振回路３よりのクロックパルス信号ＣＬは、投光駆動回路４のデジタルトランジスタＱ１のベースに印加され、デジタルトランジスタＱ１のコレクタによって抵抗Ｒ３を介して投光部１ａのＬＥＤ１１を、抵抗Ｒ１３を介して投光部１ｂのＬＥＤ１２を、全く同期して発光させ、夫々の光を受光部２ａ，２ｂの受光素子のフォトダイオードで受光し、各受光部２ａ，２ｂから受光パルスＰＯ１，ＰＯ２を出力する。
【００７３】
メダル検出信号出力回路７ａの出力端子Ｐ１には、受光部２ａの出力ＰＯ１と遅延されたクロックパルス信号ＣＬとを論理積回路６ａで論理処理し、投光部１ａと受光部２ａの間をメダルが通過すれば、メダルの通過毎に、その枚数に応じて検出信号ＯＵＴ１を出力する。信号処理の詳細は図１で説明したとおりである。
また、同様に、メダル検出信号出力回路７ｂの出力端子Ｐ２には、受光部２ｂの出力ＰＯ２と遅延されたクロックパルス信号ＣＬとを論理積回路６ｂで論理処理し、投光部１ｂと受光部２ｂの間をメダルが通過すれば、メダルの通過毎に、その枚数に応じて検出信号ＯＵＴ２を出力する。
【００７４】
この出力信号ＯＵＴ１，ＯＵＴ２は、メダルの通過方向に並べて配置されているため、メダルの通過スピードに応じて遅れた時間差をもって出力される。したがって、図２３に示す不正具を使用した場合は、図２４に示すように位相差の正逆の加減算により不正動作を防止できる。
【００７５】
一方、外部光による不正操作の監視は、受光出力ＰＯ１，ＰＯ２をＮＯＲ回路Ｕ１１で論理処理することによって、知ることができる。すなわち、受光出力ＰＯ１あるいはＰＯ２のいずれかに外部光による受光信号が発生すると、その信号をＮＯＲ回路Ｕ１１で反転させて（Ｊ点）、クロックパルス信号ＣＬの遅延処理された信号とをＮＯＲ回路８で,図１の回路で説明したと同様の外部光検出の論理処理がなされ，ＡＬＡＲＭ信号が出力される。
【００７６】
図１０の実施形態回路の各部の信号図を図１１に示している。図１１において、クロックパルス信号ＣＬは、数百ＨＺから数十ＫＨＺと非常に高い周波数を用いている。一方、メダルの通過信号は、メダルの通過部の機構にもよるが１０〜４０ｍｓと長い。すなわちメダル１個の通過パルスは数百〜数千パルスのクロックパルス信号ＣＬによって監視される。
【００７７】
したがって、この速いクロックパルス信号ＣＬに周波数のみならずタイミングも全く同期して外部より発光信号を送り不正操作を行うことは、絶対に不可能となる。また外部光の周波数が僅かでもクロックパルス信号ＣＬに対しずれると、両方の信号の周波数差でビートが発生し、ビート周波数のＡＬＡＲＭ信号が出力される。例えば５００００ＨＺのクロックパルス信号対し、外部項の周波数が０．１％ずれた５００５０ＨＺの場合は５０ＨＺのビートが発生することになり、このビート信号で警報を発することにより、あるいは動作停止させることにより、やはり不正操作を行うことができない。
【図面の簡単な説明】
【００７８】
【図１】この発明の一実施形態に係る遊戯機用投入物セレクタの回路構成を示す回路接続図である。
【図２】同遊戯機用投入物セレクタの受光部（フォトＩＣ）の出力ＰＯ１の応答遅延のない場合で、待機状態における論理積回路６に関する各部の信号を示す図である。
【図３】同遊戯機用投入物セレクタの受光部（フォトＩＣ）の出力ＰＯ１の応答遅延のない場合で、待機状態における論理積回路６に関する各部の信号の真理値表を示す図である。
【図４】同遊戯機用投入物セレクタの受光部（フォトＩＣ）の出力ＰＯ１の応答遅延のない場合の，ＮＯＲ回路８に関する信号を示す図である。
【図５】同遊戯機用投入物セレクタの受光部（フォトＩＣ）の出力ＰＯ１の応答遅延のない場合のＮＯＲ回路８に関する各部の信号の真理値表を示す図である。
【図６】同遊戯機用投入物セレクタの受光部（フォトＩＣ）の出力ＰＯ１の応答遅延のない場合で、遮光時の，論理積回路６に関する信号を示す図である。
【図７】同遊戯機用投入物セレクタの受光部（フォトＩＣ）の出力ＰＯ１の応答遅延のない場合で、遮光時の，ＮＯＲ回路８に関する信号を示す図である。
【図８】同遊戯機用投入物セレクタの受光部（フォトＩＣ）の出力ＰＯ１の応答遅延のない場合で、外部光照射時の，論理積回路６に関する信号を示す図である。
【図９】同遊戯機用投入物セレクタの受光部（フォトＩＣ）の出力ＰＯ１の応答遅延のない場合で、外部光照射時の，ＮＯＲ回路８に関する信号を示す図である。
【図１０】この、発明の他の実施形態に係る遊戯機用投入物セレクタの、回路構成を示す回路接続図である。
【図１１】同実施形態遊戯機用投入物セレクタの、全体動作を説明するための、各部の信号を示す図である。
【図１２】上記実施形態遊戯機用投入物セレクタの、受光部出力信号が立ち上がり，立ち下がり、の両方において遅延する場合の待機状態における各部の信号を示す図である。
【図１３】上記実施形態遊戯機用投入物セレクタの、受光部出力信号が立ち上がり時のみ遅延する場合の待機状態における各部の信号を示す図である。
【図１４】上記実施形態遊戯機用投入物セレクタの、受光部出力信号が立ち下がり時のみ遅延する場合の待機状態における各部の信号を示す図である。
【図１５】上記実施形態遊戯機用投入物セレクタの、位相調整回路の遅延処理を説明するための位相調整回路に関する各部の信号を示す図である。
【図１６】上記実施形態遊戯機用投入物セレクタの、受光部出力信号が立ち上がり時のみ遅延する場合に好適な位相調整回路を示す回路接続図である。
【図１７】上記実施形態遊戯機用投入物セレクタの、受光部出力信号が立ち下がり時のみ遅延する場合に好適な位相調整回路を示す回路接続図である。
【図１８】一般的な光センサの外観斜視図である。
【図１９】一般的な光センサの従来例に係る回路図である。
【図２０】一般的な光センサにおいて、投入物の検出時の投光信号と受光信号を示す図である。
【図２１】一般的な光センサに対して、不正具を用いた不正操作の例を示す図である。
【図２２】図２１に示す不正操作を行ったときの投光信号と受光信号を示す図である。
【図２３】２対の投光部及び受光部を有する光センサに対して、一例の不正具を用いた不正操作の例を示す図である。
【図２４】図２３に示す不正操作を行ったときの投光信号及び受光信号と不正防止を示す図である。
【図２５】２対の投光部及び受光部を有する光センサに対して、別例の不正具を用いた不正操作の例を示す図である。
【図２６】図２５に示す不正操作を行ったときの投光信号と受光信号を示す図である。
【符号の説明】
【００７９】
１，１ａ、１ｂ            投光部
２，２ａ，２ｂ            受光部
３                        パルス発振回路
４，４ａ，４ｂ            投光駆動回路
５                        位相調整回路
６，６ａ、６ｂ            論理積回路
７，７ａ、７ｂ            メダル検出信号出力回路
８、Ｕ１１                ＮＯＲ回路
９                        アラーム信号出力回路
ＰＯ１、ＰＯ２            受光部（フォトＩＣ）の出力
１１                      発光ダイオード（投光素子）
２１                      フォトダイオード（受光素子）
ＣＬ                      クロックパルス信号
ＴＤＨ                    立ち上がり遅延時間
ＴＤＬ                    立ち下がり遅延時間
【図１】
2007282827.tif 000003
【図２】
2007282827.tif 000004
【図３】
2007282827.tif 000005
【図４】
2007282827.tif 000006
【図５】
2007282827.tif 000007
【図６】
2007282827.tif 000008
【図７】
2007282827.tif 000009
【図８】
2007282827.tif 000010
【図９】
2007282827.tif 000011
【図１０】
2007282827.tif 000012
【図１１】
2007282827.tif 000013
【図１２】
2007282827.tif 000014
【図１３】
2007282827.tif 000015
【図１４】
2007282827.tif 000016
【図１５】
2007282827.tif 000017
【図１６】
2007282827.tif 000018
【図１７】
2007282827.tif 000019
【図１８】
2007282827.tif 000020
【図１９】
2007282827.tif 000021
【図２０】
2007282827.tif 000022
【図２１】
2007282827.tif 000023
【図２２】
2007282827.tif 000024
【図２３】
2007282827.tif 000025
【図２４】
2007282827.tif 000026
【図２５】
2007282827.tif 000027
【図２６】
2007282827.tif 000028